(57)【要約】  【課題】病室の壁に設置されている医療用ガスの端末コックの使用効率を上げると共に、入院患者のプライバシーも確保できる準個室化設備を提供する。  【手段】準個室化設備は、壁Ｗに重ねて設置する収納家具１と、収納家具１の前に設置する仕切装置２とから成っている。収納家具１のうち端末ユニット２２に対応した部分は左右から使用可能な共用部１６と成し、下方の部分は、収納部が背中合わせに配置された専用部１７と成している。共用部１６の開口部にはそれぞれ扉１８を設けて、プライバシーと事故防止とに配慮している。【選択図】        図２
2006174955.tif 000002
【特許請求の範囲】
【請求項１】
室の空間を２つに仕切るように配置され、仕切られた２つのスペースのそれぞれの側から物品を収納できる収納家具であって、
家具本体を備えており、この家具本体の内部の収納空間は、当該家具本体を挟んだ両側から人が使用できる共用部と、当該家具本体を挟んで一方の側からしか使用できない空間と他方からしか使用できない空間とに区分されている専用部とに分けられており、前記共用部には、当該共用部を塞ぐ可動式の遮蔽手段を設けている、
収納家具。
【請求項２】
前記家具本体は平面視四角形で前記共用部と専用部とは上下方向に分かれており、前記共用部に、可動式の遮蔽手段としての扉を設けている、
請求項１に記載した収納家具。
【請求項３】
前記家具本体はその背面が建物の壁面に重なるように配置されることにより、人が建物の壁面と対向した状態で室が左右に仕切られており、
更に、前記家具本体における共用部の背面箇所には、建物の壁面に設けた器具類を共用部の内部に露出させる透穴が空いており、前記家具本体における共用部の前面箇所には、共用部の内部を視認できる窓穴が空いている、
請求項１又は２に記載した収納家具。
【請求項４】
請求項１〜３のうちの何れかに記載した収納家具と、この収納家具とセットになって室を左右に仕切る仕切装置を備えており、仕切装置と収納家具とが平面視で直線状に並ぶように配置されており、かつ、前記仕切装置は収納機能と机機能との２つの機能のうち少なくとも一つを備えているか又は備えていない、
大部屋の準個室化設備。
【発明の詳細な説明】
【技術分野】
【０００１】
本願発明は、例えば病院や介護・養護施設の室に設置する収納家具及び大部屋の準個室化設備に関するものである。
【背景技術】
【０００２】
病院等や介護施設では、患者や入所者のプライバシー保護等のため、大部屋を準個室化することが推奨されている。この準個室化設備としては、例えば特許文献１では、パネルで仕切ることが記載されている。
【０００３】
他方、医療施設等では、酸素等の医療ガス（医療用流体）の供給設備を病室に設置していることも多く、この場合、医療ガスの端末コック類は建物の壁に配置していることが多い。これに対して特許文献２では、医療用キャビネットを壁際に設置し、この医療用キャビネットに、医療用ガスの端末コック類や電源・通信用のコネクタ類を設けることが記載されている。
【特許文献１】特許第２８２５１９５号公報
【特許文献２】特開２０００−１４７２２号公報
【発明の開示】
【発明が解決しようとする課題】
【０００４】
病室には患者の私物を収納する収納家具が必要であるが、特許文献１の構成ではパネルとは別にキャビネット類を設置しなければならないため、室全体としてみるとコストが嵩むという問題がある。
【０００５】
また、特許文献１は医療ガス類の供給端末にはなんら配慮されておらず、このため、医療ガス類の供給端末に人が不用意に触れて損傷する虞があった。また、医療ガスを患者に供給する場合、流量計や酸素湿潤器、吸引機、圧力調節器、分配器、モニター機等の中継機器（中間機器、セカンダリー機器といっても良い）とコックとを接続し、これら中継機器を介して患者に供給することが多いが、特許文献１の構成では、中継機器は病室に設けたテーブルに設置しなければならず、このため、病室が雑然とした態様になりがちであった。これに対して、特許文献２によると、私物や各種の医療機器類をキャビネットに体裁よく収納することができる利点がある。
【０００６】
ところで、従来の医療用ガス類の端末は患者の頭の近くに配置しており、一人の患者が一つの端末類を専用に使用する形態が採られていることが多い。しかし、患者は常に医療用ガスを使用するとは限らず、症状の改善によって使用が不要になったり、ある時間だけ使用したりというように、一人の人が独占的に使用し続けなければらないことは稀である。従って、一つの医療用ガス類の端末を隣合った２人の人が共用して使用できると、病院のコスト抑制に貢献できる。
【０００７】
しかし、特許文献２のキャビネットは、人が建物の壁と相対向した姿勢で手前に開くようになっているため、すなわち、建物の壁と相対向した状態で前面に扉があるため、端末コック類はキャビネットの左右側面に配置せざるを得ず、このため、端末コック類を２人で共用することはできないのであった。また、キャビネットの扉は人が建物の壁と対向した状態で手前に配置しているため、キャビネットの手前側は常にオープンの状態でなければならず、このため、キャビネットの左右両側の空間を仕切って準個室化することもできないのであった。
【０００８】
本願発明は、このような現状を改善することを課題とするものである。
【課題を解決するための手段】
【０００９】
本願発明は、収納家具と大部屋用準個室化設備とを含んでいる。請求項１の発明は収納家具に関するもので、この収納家具は、室の空間を２つに仕切るように配置され、仕切られた２つのスペースのそれぞれの側から物品を収納できる。
【００１０】
そして、収納家具は家具本体を備えており、この家具本体の内部の収納空間は、当該家具本体を挟んだ両側から人が使用できる共用部と、当該家具本体を挟んで一方の側からしか使用できない空間と他方からしか使用できない空間とに区分されている専用部とに分けられており、前記共用部には、当該共用部を塞ぐ可動式の遮蔽手段を設けている。
【００１１】
請求項２の発明は、請求項１において、前記家具本体は平面視四角形で前記共用部と専用部とは上下方向に分かれており、前記共用部に、可動式の遮蔽手段としての扉を設けている。
【００１２】
請求項３の発明は請求項１又は２において、前記家具本体はその背面が建物の壁面に重なるように配置されることにより、人が建物の壁面と対向した状態で室の空間が左右に仕切られており、更に、前記家具本体における共用部の背面箇所には、建物の壁面に設けた器具類を共用部の内部に露出させる透穴が空いており、前記家具本体における共用部の前面箇所には、共用部の内部を視認できる窓穴が空いている。
【００１３】
請求項４の発明は大部屋の準個室化設備に係るもので、この設備は、請求項１〜３のうちの何れかに記載した収納家具と、この収納家具とセットになって室を左右に仕切る仕切装置を備えており、仕切装置と収納家具とが平面視で直線状に並ぶように配置されており、かつ、前記仕切装置は収納機能と机機能との２つの機能のうち少なくとも一つを備えているか又は備えていない。
【発明の効果】
【００１４】
本願発明の収納家具は、物品の収納機能のみでなく空間を仕切る機能も備えており、このため、本願発明の収納家具を仕切り手段の一部又は全部に利用することができ、その結果、大部屋の準個室化を大きく推進できる。
【００１５】
また、収納家具の内部の収納空間は専用部と共用部とに分かれているため、私物は隣と隔離した状態で収納できる一方、共用品は共用部に配置・載置して当該共用物を効率良く使用することができる。更に、扉等の遮蔽手段を設けたことにより、何れか一方の人が共用部を使用している状態で隣合った空間がオープンになることはないため、プライバシーの保護に優れている。つまり、プライバシーを犠牲にすることなく、両方の人が共用部を使用できるのである。
【００１６】
ところで、医療施設・介護施設では、医療用ガス類を使用している状況を看護士が確認したり、中継機器が正常に作動しているかどうかを確認したりする必要がある。この点、請求項３のように構成すると、扉等の遮蔽手段を一々空けなくても収納家具の外側から使用状況や作動状態を目視で確認できるため、至極便利である。また、隣合った一方の人が共用部を使用している場合、他方の人は使用中であることが分かるため、誤って扉を空けるような不具合を防止できる利点もある。従って、請求項３の構成は病室の収納家具として特に好適である。
【００１７】
請求項４のように構成すると、収納家具と仕切装置とを組み合わせることにより、収納機能を備えた仕切り設備が構成される。このため、準個室化された空間がすっきりする。
【発明を実施するための最良の形態】
【００１８】
次に、本願発明の実施形態を図面に基づいて説明する。
【００１９】
(1).第１実施形態の概要
図１〜図８では第１実施形態を示している。本実施形態は病院の大部屋を準個室化するための準個室化設備に適用しており、図１（Ａ）は室に設置した状態の斜視図、図２（Ａ）は分離斜視図である。
【００２０】
この準個室化設備は、建物の壁Ｗに重ねて配置された収納家具１と、この収納家具１を挟んで建物の壁Ｗと反対側に配置した仕切装置２とから成っており、収納家具１と仕切装置２とは密着させている。準個室化設備を挟んだ両側に準個室化された単位スペースＳが形成されており、この単位スペースＳにベッドＢを配置している。
【００２１】
本明細書では、収納家具１が重なっている壁Ｗと対向した状態を基準にして前後・左右の方向を表示する。従って、仕切装置２の後面と収納家具１の前面とが重なっている。また、準個室化設備は全体として前後方向（単位スペースＳの奥行き方向）に長く延びている。
【００２２】
以下、図３〜図６も参照して収納家具１と仕切装置２との詳細を説明する。図３のうち（Ａ）は収納家具１の分離斜視図、（Ｂ）は図２の IIIB-IIIB視断面図、（Ｃ）は収納家具１の別例図、図４（Ａ）は病室の平面図、図５のうち（Ａ）は図１の VA-VA視断面図、（Ｂ）は図１の VB-VB視断面図、図６は図１のVI−VI視断面図である。
【００２３】
(2).収納家具
収納家具１は木製（スチール製でも良い）で平面視四角形の箱状に形成された家具本体３を備えている。家具本体３は、上下に長い前板４と、後部のみに配置された巾狭の左右側板５と、左右側板５の間に配置された背板６と、上面を構成する天板７と、底板８と、巾木９とを備えている。収納家具１は例えば１７０〜１８０ｃｍ程度の高さであり、上下略中間部の高さに位置に左右の固定パネル１０を設け、左右の固定パネル１０で挟まれた空間を配線エリア１０′と成すと共に、固定パネル１０にナースコール等のボタン類・スイッチや、電源用コンセント、イヤホン用ジャック、通信線用ジャックなどのアクセス部材１１を取付けできるようになっている。
【００２４】
配線エリア１０′には、その下面を構成する水平仕切板１２が配置されており、コネクタ類やケーブル類を載せ得ることができる。背板６は左右側板５の後端面よりも手前側に位置しており、従って、背板６と壁Ｗとの間には例えば配線を行える空間が空いている。また、背板６のうち配線空間１０′の高さ位置と、前面板４のうち配線空間１０′の高さ位置とには、前後に開口した配線用透穴１３，１３′が空いていて、ケーブル類１４は、後部の配線用透穴１３を介してを介して建物の接続口１５′から家具本体３の内部にＣき出すことができ、また、前部の配線用透穴１３′を介して配線用空間１０′から仕切装置２に向けて引き出すことができる。
【００２５】
固定パネル１０の上方の空間は前後に開口した共用部１６になっていて左右両側に扉１８が配置されており、また、固定パネル１０の下方の空間は専用部１７になっている。専用部１７は、左右左右中間部に位置した縦仕切り板１９で左右に区画され、区画された各々に中間棚板２０を装架している。専用部１７はオープン方式になっているが、扉を設けたり抽斗方式にしたりすることも可能である。
【００２６】
共用部１６は、固定パネル１０の上端に位置した水平状の受け板２１を備えており、また、背板６のうち共用部１６の箇所には、壁Ｗに設けた医療用ガスの端末ユニット２２に配管し得るための配管用上部透穴２３が空いている。本実施形態では、端末ユニット２２は壁Ｗに這わせた上下長手のダクト２４の下端に設けており、このため、背板６とダクト２４と干渉しないように上向きに切り開かれている。また、天板７の後部も切り開かれている（切り開き部を符号２５で示す）。符号Ｍは医療用ガス等を使用する医療機器（中継機器）である。
【００２７】
ダクト２４は、壁Ｗに沿って天井裏の空間に延びており、天井裏の空間の箇所で分岐したり集合したりしている。図３（Ａ）に示す符号２６は天井板である。
【００２８】
医療用ガスの配管類を壁Ｗに内蔵する場合もあり、この場合は、図３（Ｃ）に示すように壁Ｗからは端末ユニット２２だけが露出する。従って、この場合は、背板６の配管用透穴２３は前後にのみ開口した形態でも良い（但し、上向きに切り開き形成しておくと、ダクト方式と埋設方式との両方に対応できる利点がある。）。
【００２９】
家具本体３における前板４のうち共用部１６の箇所には、共用部１６の内部を視認し得るよう透明板２７で塞がれた窓穴２８が空いている。透明板２７はガラスでも良いし、アクリル樹脂等の樹脂板でもよい。扉１８は水平回動式であり、家具本体３の手前部分に蝶番（図示せず）にて取付けられている。扉１８はその後端部を中心にして水平回動するように取り付けてもよいし、また、水平回動式に変えて引き戸方式とすることも可能である。
【００３０】
家具本体３の上面には、配管用ダクト２４を覆うためのカバー２９を配置している。カバー２９は家具本体３にきっちり重なる形状及び大きさであり、天井面まで延びている。カバー２９にもダクト２４との干渉を回避するための切欠き３０が形成されている。なお、カバー２９は、家具本体３の天板７にビス止め等によって固定しておくのが好ましい。また、家具本体３はアンカーボルト等の固定具で床又は壁Ｗに固定しておいても良い。
【００３１】
(3).仕切装置
仕切装置２は、収納家具１と同じ高さであり、上部仕切壁部３２と、上部仕切壁部３２の前端面と後端面とに固定された前後エンドパネル３３とを備えており、両者は平面視でＨ字状の形態を成している。従って、上部仕切壁部３２の表裏両側には、上方及び側方に開口した半開放状空間が形成される（圧迫感を抑制できる）。
【００３２】
そして、上部仕切壁部３２と前後エンドパネル３３とで囲われた左右の空間に例えば７０〜８０ｃｍ程度の高さで机天板３１をそれぞれ配置し、また、机天板３１の下方のうち手前側には、人が椅子に腰掛けて足を入れ得る間口寸法の着座用空間３９を空けており、着座用空間３９の後方には抽斗３４を配置している。上部仕切壁部３２及びエンドパネル３３とは収納家具１と同じ高さに設定しているが、互いに高さを異ならせてもよい。後部のエンドパネル３３には、収納家具１の窓穴２８を視認できるようにするための窓穴２８′が空いている。
【００３３】
なお、着座用空間３９を無くして、一方の単位スペースＳから引き出しできる抽斗３４の群と、他方の単位スペースＳから引き出しできる抽斗３４の群とを前後に配置してもよい。この場合は、抽斗３４の奥行きが深くなる。
【００３４】
或いは、図１（Ｂ）に示すように、抽斗３４を設けずに、中間板３９′を挟んで着座用空間３９のみを前後に配置することも可能である。なお、着座用空間にワゴン等を配置することも可能である。更に、図示していないが、机天板３１の下方でかつ前後エンドパネル３３の間の空間を前後長手の板で左右に仕切って、左右の空間の全体をオープンさせるといったことも可能である。
【００３５】
図２（Ａ）に示すように、仕切装置２を大部屋に設置して空間を２つの単位スペースＳに仕切り、各単位スペースＳに、平面視で仕切装置２と平行な姿勢でベッドＢを配置している。
【００３６】
仕切り設備で仕切られることよって区画された単位スペースＳは、ベッドＢをはみ出ることなく配置できる奥行き寸法になっており、従って、仕切り設備の全体の長さ（前後長さ）はベッドＢを基準にして概ね規定される。一般成人用の場合は、仕切装置２の前後長さは２０００〜２２００ｍｍ程度が好適と言える。図４に符号３５で示すように、建物の天井には、単位スペースＳの出入り口を塞ぐカーテンが取付けられている。
【００３７】
仕切装置２の上部仕切壁部３２は、格子状の枠材３６に半透明又は不透明なシート３７を張った構造になっている。シート３７には、障子紙のような紙、樹脂板、布、織物製又は編物製のスクリーンなど、様々の素材を採用できる。
【００３８】
図６に示すように、上部仕切り壁部３２のうち机天板３１から立ち上がった部分は前後の左右の鏡板３８を備えた中空部４２になっており、この中空部にケーブル類１４を配線できる。
【００３９】
仕切装置２を構成する後部のエンドパネル３３のうち収納家具１における配線エリア１０′と同じ高さ位置には、ケーブル類１４を中空部４２に引き出し得る配線穴１３″が空いている。仕切装置２の左右鏡板３８には、電源用コンセントや通信線用ジャック等の雌型プラグ用パネル１５を設けている。
【００４０】
図６に示すように、左右に隣合った着座用空間３９と仕切板４０で仕切られているが、図６に一点鎖線で示すように、着座用空間３９を左右２枚の仕切板４０′で仕切って、左右２枚の仕切板４０の間の空間を配線空間となすことも可能である。この場合は、天板３１に、上下の配線空間を連通させる連通穴を空けるのが好ましい。
【００４１】
病室のベッドＢは移動させることが多いが、室内の通路Ｔは狭い場合がある一方、単位スペースＳの間口寸法にはおのずと限度があるため、ベッドＢの出し入れに際して方向転換をしにくいという問題だある。この点について本実施形態では、仕切装置２の四隅にキャスター４９を取り付けることにより、仕切装置２の平面姿勢又は位置を簡単に変え得るように配慮している。図４に示すように、仕切装置２の姿勢や位置を変えることにより、ベッドＢを簡単に出し入れすることができる。
【００４２】
仕切装置２を姿勢変更したり移動させたりするにおいて、ケーブル類１４が露出する。露出したケーブル類１４が垂れ下がらないようにする対策としては、ケーブル類１４がある程度の剛性を保持するように紐で束ねておいたり、図１４（Ｂ）に示すように、ケーブル類１４を支持するトレー状や管状のガイド１４″を設けたりしたら良い。
【００４３】
なお、ベッドＢの非移動時に仕切装置２が不測に動くことがないように、収納家具１と仕切装置２とをビス止めやピン止め等によって固定（連結）しておくのが好ましい。また、仕切装置２にアジャスターを設けて、非移動時にはアジャスターを設置させて移動しにくい状態に保持することも可能である。
【００４４】
(4).第２実施形態（図７）
図７では第２実施形態を示している。この実施形態は共用部１６に設けた扉１８の別例であり、共用部１６を観音開き式の２つの扉１８で塞いでいる。この場合、手前側の扉１８の横幅を大きくし、後方の扉１８の横巾を小さくしている。本実施形態では、後方の扉１８を開いたままにして共用部１６から管類１４′を引き出すことができるが、後方の扉１８の巾寸法は小さいので、開いたままでも邪魔にはならない。中継機器の入れ換え時には、前後の扉１８を開くことによって共用部１６を大きく開放することができる。
【００４５】
左右の単位スペースＳにいる患者が医療用ガス等を同時に使用することも可能であり、すなわち、共用部１６から左右の単位スペースＳに同時に管類や１４′ケーブル類１４を引き出すことも可能である。この場合は、本実施形態では、後部の巾狭の扉１８を半開きしておけば良いため、隣合った人が互いに顔を合わせることは実質的には無く、このため気兼ねすることなくガス等を使用できる利点がある。
【００４６】
共用部１６の利用態様としては、医療用ガス類の医療機器の設置に限定されるものではなく、持ち運び自在な検査用機器や薬剤類など、各種の機器・器具・物品を載置できる。
【００４７】
(5).第３〜第５実施形態（図８）
図８のうち（Ａ）では第３実施形態を示してい。この実施形態では、１枚の水平回動式扉１８の自由端部１８ａを蝶番４３によって２つ折り状に形成し、医療用ガスを使用中には自由端部１８ａのみを開いておけば良い。
【００４８】
図８（Ｂ）に示す第４実施形態では、チューブ類の引き出し手段として、１枚の扉１８に潜り戸式の小扉１８′を開閉自在に設けている。小扉１８′は水平回動方式や左右スライド方式、或いは上下スライド方式など開閉の態様は問わない。小扉１８′を着脱方式とすることのも可能である。
【００４９】
図８（Ｃ）（Ｄ）では第５実施形態を示している。（Ｃ）は斜視図、（Ｄ）は（Ｃ）のＤ−Ｄ視平断面図である。この実施形態では、扉１８の下方に開放式の引き出し口４４を設け、この引き出し口４４からチューブ類やケーブル類を患者に向けて引き出している。共用部１６の受け板２１には配管・配線用の連通穴４５を設けている。
【００５０】
ところで、医療用ガスの配管を天井裏に設けて、端末ユニット（アウトレット）を天井から吊り下げることも行われている。このようなタイプに対しては、図８（Ａ）に一点鎖線で示すように、天板７に、端末ユニットを出し入れ可能な大きさの切欠き穴４６を形成するとよい。
【００５１】
(6).第６実施形態（図９）
図９では第６実施形態を示している。（Ａ）は仕切装置２と収納家具１との分離斜視図、（Ｂ）は（Ａ）のＢ−Ｂ視平断面図である。この実施形態では、扉１８にチューブ類の引き出し口４４を設けている。また、扉１８には共用部１６の内部を確認し得る視認手段の一例として、透明板４７で塞がれた窓４８を設けている。また、専用部１７の内部に目隠し板４９を左右スライド自在に配置している。また、図９の実施形態では、仕切装置の後端部を前後開口の金属製フレーム５０で構成している。
【００５２】
(7).その他
本願発明は上記の実施形態の他にも様々に具体化できる。例えば、収納家具は単位スペースの奥行き方向に沿って長く延びる形態としても良い。また、実施形態のような仕切装置を収納家具に一体に組み込んだ形態としても良いのである。
【００５３】
専用部の態様としては、左右の人の専用空間を左右に配置するにことには限らず、例えば、左側に開口した専用収納部と右側に開口した専用収納部とを上下（又は前後）に分けて配置することも可能である。この場合は、専用収容部の奥行き寸法は家具本体の左右巾と略同じになる（専用収納部はオープンのままでも良いし、抽斗や棚板を設けるなどしても良い。
【図面の簡単な説明】
【００５４】
【図１】(A)は準個室化設備を室に設置した状態の斜視図、 (B)は仕切装置の別例斜視図である。
【図２】(A)は準個室化設備の分離斜視図、 (B)は仕切装置を後方から見た部分的な斜視図である。
【図３】(A)は収納家具の分離斜視図、 (B)は図２の IIIB-IIIB視断面図、 (C)は収納家具の別例図である。
【図４】(A)は病室の平面図、 (B)は仕切装置を動かした状態の平面図である。
【図５】(A)は図１の VA-VA視断面図、 (B)は図１の VB-VB視断面図である。
【図６】図１のVI−VI視断面図である。
【図７】第２実施形態をし示す図である。
【図８】第３〜第５実施形態を示す図である。
【図９】第６実施形態を示す図である。
【符号の説明】
【００５５】
１  収納家具
２  仕切装置
３  家具本体
１０  固定パネル
１３  破線用透穴
１６  共用部
１７  専用部
２３  配管用透穴
２８  窓穴
２９  カバー
【図１】
2006174955.tif 000003
【図２】
2006174955.tif 000004
【図３】
2006174955.tif 000005
【図４】
2006174955.tif 000006
【図５】
2006174955.tif 000007
【図６】
2006174955.tif 000008
【図７】
2006174955.tif 000009
【図８】
2006174955.tif 000010
【図９】
2006174955.tif 000011